(57)【特許請求の範囲】
【請求項１】
遊技の進行制御に応じて遊技演出を行う演出部材を備えた遊技機であって、
前記演出部材は、複数の片部材を回転可能に連結した長尺状の連結体を含み、一端側にて保持されて、他端側に接続部を有して移動する移動部材と、前記移動部材とは離れて設けられ、前記接続部の少なくとも一部を収容する開口部を有して当該移動部材が移動した後に接続を受ける被接続部と、を備え、
前記移動部材は、前記接続部の向く方向が変化しながら前記被接続部に向けて移動した後に当該接続部が前記開口部に対向し、当該接続部の少なくとも一部が当該開口部に入り込んで接続することを特徴とする遊技機。
【請求項２】
前記移動部材は、前記連結体を変形させる線状部材を有していることを特徴とする請求項１に記載の遊技機。
【請求項３】
前記移動部材の前記接続部は、電磁石によって前記被接続部に吸着することを特徴とする請求項１又は２に記載の遊技機。
【発明の詳細な説明】
【技術分野】
【０００１】
本発明は、パチンコ遊技機やスロットマシン等の遊技機に関する。
【背景技術】
【０００２】
画像表示装置等で行われる画像演出とともに、実際の構造物、いわゆるギミックといわれる演出部材を作動させて、演出効果を盛り上げる遊技機が提案されている。
例えば、特許文献１には、以下のようなギミックを備えた遊技機の技術が記載されている。ここで、左右のハート形開閉部材は、上下の金属棒によるレールによって左右にスライド可能な状態で設けられている。そして、左右のハート形開閉部材は、閉じた状態で互いに接触する接触面を閉塞側の端面の上側及び下側に有し、互いに接触せずに停止した状態で、駆動力が加えられない側となる上側の接触面が、駆動力が加えられる側となる下側の接触面より閉じる方向にずれるように所定角度だけ傾斜して配置する。
【先行技術文献】
【特許文献】
【０００３】
【特許文献１】特開２０１０−２３４０２１号公報
【発明の概要】
【発明が解決しようとする課題】
【０００４】
ところで、例えば特許文献１のように、元の状態にて各々分離した２つの部材を互いに移動させ、移動の後に合体し接続した状態にするという演出を行う。ただし、特許文献１に記載される可動部材では、その２つの部材は、接続するまでに直線上を移動するものであり、遊技者にとってその２つの部材の移動の動きが予測可能なものであった。
本発明は、予測のつき難い動きによる遊技演出を行うことを目的とする。
【課題を解決するための手段】
【０００５】
上記の目的を達成する本発明は、遊技の進行制御に応じて遊技演出を行う演出部材１１５を備えた遊技機１００であって、演出部材１１５は、複数の片部材を回転可能に連結した長尺状の連結体（３２Ｐ,５２Ｐ）を含み、一端側にて保持されて、他端側に接続部（３１Ｈ,５１Ｈ）を有して移動する移動部材（３０,５０）と、移動部材（３０,５０）とは離れて設けられ、接続部（３１Ｈ,５１Ｈ）の少なくとも一部を収容する開口部を有して移動部材（３０,５０）が移動した後に接続を受ける被接続部２４と、を備え、移動部材（３０,５０）は、接続部（３１Ｈ,５１Ｈ）の向く方向が変化しながら接続部（３１Ｈ,５１Ｈ）に向けて移動した後に接続部（３１Ｈ,５１Ｈ）が開口部に対向し、接続部（３１Ｈ,５１Ｈ）の少なくとも一部が開口部に入り込んで被接続部２４に接続することを特徴とする遊技機１００。
そして、移動部材（３０,５０）は、連結体（３２Ｐ,５２Ｐ）を変形させる線状部材（４１,４２,６１,６２）を有していることを特徴とすることができる。
さらに、移動部材（３０,５０）の接続部（３１Ｈ,５１Ｈ）は、電磁石２５によって被接続部２４に吸着することを特徴とすることができる。これによって、接続部（３１Ｈ,５１Ｈ）と被接続部２４との接続や分離を確実に行うことが可能となる。
【０００６】
なお、本欄における上記符号は、本発明の説明に際して例示的に付したものであり、この符号により本発明が減縮されるものではない。
【発明の効果】
【０００７】
本発明によれば、予測のつき難い動きによる遊技演出を行うことができる。
【図面の簡単な説明】
【０００８】
【図１】本実施形態に係るパチンコ遊技機の概略正面図である。
【図２】本実施形態のパチンコ遊技機の部分拡大図である。
【図３】本実施形態のパチンコ遊技機の制御ユニットの内部構成を示す図である。
【図４】本実施形態のポート機構部を説明するための図である。
【図５】本実施形態の上側ケーブル機構部の全体図である。
【図６】上側ケーブル機構部を詳細に説明するための図である。
【図７】本実施形態の下側ケーブル機構部の全体図である。
【図８】下側ケーブル機構部を詳細に説明するための図である。
【図９】本実施形態の上側ケーブル機構部の動作を説明するための図である。
【図１０】本実施形態の下側ケーブル機構部の動作を説明するための図である。
【図１１】ポート機構部に上側ケーブル機構部および下側ケーブル機構部が接続した状態を示す図である。
【発明を実施するための形態】
【０００９】
以下、添付図面を参照して、本発明の実施の形態について詳細に説明する。
〔遊技機の基本構成〕
図１は、本実施形態に係るパチンコ遊技機１００の概略正面図である。
遊技機の一例としてのパチンコ遊技機１００は、遊技者の指示操作により打ち出された遊技球が入賞すると賞球を払い出すように構成されたものである。このパチンコ遊技機１００は、遊技球が打ち出される遊技盤１１０と、遊技盤１１０を囲む枠部材１５０とを備えている。遊技盤１１０は、枠部材１５０に着脱自在に取り付けられている。
【００１０】
遊技盤１１０は、正面に、遊技球により遊技を行うための遊技領域１１１と、下方から発射された遊技球が上昇して遊技領域１１１の上部位置へ向かう通路を形成するレール部材１１２と、遊技領域１１１の右側に遊技球を案内する案内部材１１３とを備えている。
本実施形態では、遊技者により視認され易い遊技領域１１１の位置に、演出のための各種の画像を表示する画像表示部１１４が配設されている。この画像表示部１１４は、液晶ディスプレイ等による表示画面を備え、遊技者によるゲームの進行に伴い、例えば、図柄抽選結果（図柄変動結果）を遊技者に報知するための装飾図柄を表示したり、キャラクタの登場やアイテムの出現による演出画像を表示したりする。本実施形態の画像表示部１１４には、液晶ディスプレイを用いることができる。また、画像表示部１１４としては、ＥＬ（Electro-Luminescence）ディスプレイなどの液晶とは異なる方式のディスプレイを用いても構わない。
【００１１】
さらにまた、遊技盤１１０の正面に、各種の演出に用いられる可動役物１１５および盤ランプ１１６を備えている。演出部材の一例としての可動役物１１５は、遊技盤１１０上で動作することにより各種の演出を行い、また、盤ランプ１１６は、発光することで各種の演出を行う。
本実施形態の可動役物１１５は、図１に示すように、遊技盤１１０の上側に設けられ上下方向に移動するポート機構部２と、本実施形態では側部に設けられてポート機構部２に接続可能に設けられる上側ケーブル機構部３と、同様に側部に設けられてポート機構部２に接続可能に設けられる下側ケーブル機構部５と、ポート機構部２に予め接続する右側ケーブル部７０とを有している。
【００１２】
本実施形態の可動役物１１５では、遊技の進行制御に応じて、ポート機構部２のポート集積部２４（後述）や、上側ケーブル機構部３の上側ケーブル部３０（後述）や下側ケーブル機構部５の下側ケーブル部５０（後述）が移動する前の状態である遊技盤１１０の側部に位置する状態（以下、待機状態）から移動して、遊技盤１１０の中央部に位置する状態（以下、出現状態）をとる。
【００１３】
本実施形態では、遊技盤１１０の中央部には画像表示部１１４が設けられている。従って、待機状態において、ポート機構部２のポート集積部２４、上側ケーブル機構部３の上側ケーブル部３０および下側ケーブル機構部５の下側ケーブル部５０は、図１に示すように画像表示部１１４の外側に位置する。一方、出現状態においては、ポート機構部２のポート集積部２４、上側ケーブル機構部３の上側ケーブル部３０および下側ケーブル機構部５の下側ケーブル部５０は、画像表示部１１４の前方（遊技者側）に位置する。
【００１４】
なお、上側ケーブル機構部３の上側ケーブル部３０と、下側ケーブル機構部５の下側ケーブル部５０とは、遊技盤１１０および遊技者側方向において前後にずれて配置され、互いに衝突せずに動作するようになっている。
また、上記の可動役物１１５におけるポート集積部２４、上側ケーブル機構部３および下側ケーブル機構部５については後に詳細に説明する。
【００１５】
遊技領域１１１には、遊技球が落下する方向に変化を与えるための図示しない遊技くぎおよび風車等が配設されている。また、遊技領域１１１には、入賞や抽選に関する種々の役物が所定の位置に配設されている。また、遊技領域１１１には、遊技領域１１１に打ち出された遊技球のうち入賞口に入賞しなかったものを遊技領域１１１の外に排出する排出口１１７が配設されている。
【００１６】
本実施形態では、入賞や抽選に関する種々の役物として、遊技球が入ると入賞して特別図柄抽選（大当たり抽選）が始動する第１始動口１２１および第２始動口１２２と、遊技球が通過すると普通図柄抽選（開閉抽選）が始動するゲート１２４と、が遊技盤１１０に配設されている。ここにいう第１始動口１２１および第２始動口１２２とは、予め定められた１の特別図柄表示器を作動させることとなる遊技球の入賞に係る入賞口をいう。
第２始動口１２２は、チューリップの花の形をした一対の羽根が電動ソレノイドにより開閉すると共に点灯する普通電動役物としての電動チューリップ１２３を備えている。電動チューリップ１２３は、羽根が閉じていると、遊技球が第２始動口１２２へ入り難い一方で、羽根が開くと第２始動口１２２の入口が拡大して遊技球が第２始動口１２２へ入り易くなるように構成されている。そして、電動チューリップ１２３は、普通図柄抽選に当選すると、点灯ないし点滅しながら羽根が規定時間（例えば６秒間）および規定回数（例えば３回）だけ開く。
【００１７】
なお、パチンコ遊技機１００は、所定の条件下で、特別図柄抽選において大当たりに当選する大当たり確率が変動する場合（低確状態（例えば３００分の１）から高確状態（例えば３０分の１）への変動）がある。また、パチンコ遊技機１００は、所定の条件下で、特別図柄抽選時の特別図柄変動時間が短縮されたり、普通図柄抽選時の当選する確率が高まったり、普通図柄抽選時の普通図柄変動時間が短縮されたり、電動チューリップ１２３の羽根の開時間が延長されたり、電動チューリップ１２３の羽根が開く回数が増えたりする場合がある。
【００１８】
また、本実施形態では、入賞や抽選に関するその他の役物として、特別図柄抽選の結果に応じて開放する特別電動役物としての大入賞口１２５と、遊技球が入賞しても抽選が始動しない普通入賞口１２６と、が遊技盤１１０に配設されている。
なお、本実施形態では、遊技領域１１１に第１始動口１２１および第２始動口１２２が配設されているが、いずれか一方のみを配設する構成例やさらに他の始動口を配設する構成例も考えられる。また、本実施形態では、遊技領域１１１に大入賞口１２５が１つ配設されているが、大入賞口１２５を複数配設する構成例も考えられる。
本実施形態では、遊技盤１１０の右下の位置に、抽選結果や保留数に関する表示を行う表示器１３０が配設されている。
【００１９】
また、遊技盤１１０の裏面には、内部抽選および当選の判定等を行う遊技制御基板、演出を統括的に制御する演出制御基板、画像および音による演出を制御する画像制御基板、各種のランプおよび可動役物１１５（図１参照）による演出を制御するランプ制御基板などの各種の基板等が取り付けられる（後述する図４参照）。また、遊技盤１１０の裏面には、供給された２４ＶのＡＣ電源をＤＣ電源に変換して各種の基板等に出力するスイッチング電源（不図示）が配設されている。
【００２０】
枠部材１５０は、遊技者がハンドル１５１に触れてレバー１５２を時計方向に回転させる操作を行うとその操作角度に応じた打球力にて遊技球を所定の時間間隔（例えば１分間に１００個）で電動発射する発射装置（不図示）を備えている。また、枠部材１５０は、遊技者のレバー１５２による操作と連動したタイミングで発射装置に遊技球を１つずつ順に供給する供給装置（不図示）と、供給装置が発射装置に供給する遊技球を一時的に溜めておく皿１５３（図２参照）と、を備えている。この皿１５３には、例えば払い出しユニットによる払出球が払い出される。
なお、本実施形態では、皿１５３を上下皿一体で構成しているが、上皿と下皿とを分離する構成例も考えられる。また、発射装置のハンドル１５１を所定条件下で発光させる構成例も考えられる。
【００２１】
また、枠部材１５０は、発射装置のハンドル１５１に遊技者が触れている状態であっても遊技球の発射を一時的に停止させるための停止ボタン１５４と、皿１５３に溜まっている遊技球を箱（不図示）に落下させて取り出すための取り出しボタン１５５と、を備えている。
【００２２】
また、枠部材１５０は、パチンコ遊技機１００の遊技状態や状況を告知したり各種の演出を行ったりするスピーカ１５６および枠ランプ１５７を備えている。スピーカ１５６は、楽曲や音声、効果音による各種の演出を行い、また、枠ランプ１５７は、点灯点滅によるパターンや発光色の違い等で光による各種の演出を行う。なお、枠ランプ１５７については、光の照射方向を変更する演出を行うことを可能にする構成例が考えられる。
また、枠部材１５０は、遊技盤１１０を遊技者と隔てるための透明板（不図示）を備えている。
【００２３】
図２は、本実施形態に係るパチンコ遊技機１００の部分拡大図である。図２（ａ）は遊技盤１１０の右下に配設された表示器１３０の一例を示す拡大図であり、図２（ｂ）はパチンコ遊技機１００の部分平面図である。
パチンコ遊技機１００の表示器１３０は、図２（ａ）に示すように、第１始動口１２１の入賞に対応して作動する第１特別図柄表示器２２１と、第２始動口１２２の入賞に対応して作動する第２特別図柄表示器２２２と、ゲート１２４の通過に対応して作動する普通図柄表示器２２３と、を備えている。第１特別図柄表示器２２１は、第１始動口１２１の入賞による特別図柄を変動表示しその抽選結果を表示する。第２特別図柄表示器２２２は、第２始動口１２２の入賞による特別図柄を変動表示しその抽選結果を表示する。普通図柄表示器２２３は、遊技球がゲート１２４を通過することにより普通図柄を変動表示しその抽選結果を表示する。第１特別図柄表示器２２１、第２特別図柄表示器２２２および普通図柄表示器２２３の各々は、ＬＥＤ表示装置で構成され、その点灯態様によって各抽選結果を表す図柄が表示される。
【００２４】
また、表示器１３０は、第１特別図柄表示器２２１での保留に対応して作動する第１特別図柄保留表示器２１８と、第２特別図柄表示器２２２での保留に対応して作動する第２特別図柄保留表示器２１９と、普通図柄表示器２２３での保留に対応して作動する普通図柄保留表示器２２０と、を備えている。第１特別図柄保留表示器２１８、第２特別図柄保留表示器２１９および普通図柄保留表示器２２０の各々は、ＬＥＤ表示装置で構成され、その点灯態様によって保留数が表示される。
【００２５】
ここで、保留について説明する。特別図柄や普通図柄の変動表示動作中（入賞１回分の変動表示が行なわれている間）にさらに他の遊技球による入賞があると、その入賞した遊技球に対する図柄の変動表示動作は、先に入賞した遊技球に対する変動表示動作が終了するまで、規定個数（例えば４個）を限度に保留される。このような保留がなされていることおよびその保留の数（未抽選数）が、第１特別図柄保留表示器２１８、第２特別図柄保留表示器２１９および普通図柄保留表示器２２０に表示される。
【００２６】
パチンコ遊技機１００の枠部材１５０は、遊技者が演出に対する入力を行うための入力装置を備えている。図２（ｂ）に示すように、本実施形態では、入力装置の一例として、演出ボタン１６１と、演出ボタン１６１に隣接し、略十字に配列された複数のキーからなる演出キー１６２と、が枠部材１５０に配設されている。演出キー１６２は、その中央に１つの中央キーを配置し、また、中央キーの周囲に略同一形状の４つの周囲キーを配置して構成されている。遊技者は、４つの周囲キーを操作することにより、画像表示部１１４に表示されている複数の画像のいずれかを選ぶことが可能であり、また、中央キーを操作することにより、選んだ画像を情報として入力することが可能である。
【００２７】
〔制御ユニットの構成〕
次に、パチンコ遊技機１００での動作制御や信号処理を行う制御ユニットについて説明する。
図３は、本実施形態のパチンコ遊技機の制御ユニットの内部構成を示すブロック図である。
図３に示すように、制御ユニットは、メイン制御手段として、内部抽選および当選の判定等といった払い出す賞球数に関する各種制御を行う遊技制御部２００を備えている。また、サブ制御手段として、演出を統括的に制御する演出制御部３００と、画像および音響を用いた演出を制御する画像／音響制御部３１０と、各種のランプおよび可動役物１１５を用いた演出を制御するランプ制御部３２０と、払出球の払い出し制御を行う払出制御部４００と、を備えている。
【００２８】
そして、遊技制御部２００、演出制御部３００、画像／音響制御部３１０、ランプ制御部３２０、および払出制御部４００各々は、遊技盤１１０の後面に配設されたメイン基板としての遊技制御基板、サブ基板としての演出制御基板、画像制御基板、ランプ制御基板、および払出制御基板において個別に構成されている（後述の図４参照）。
【００２９】
〔遊技制御部の構成・機能〕
遊技制御部２００は、内部抽選および当選の判定等といった払い出し賞球数に関連する各種制御を行う際の演算処理を行うＣＰＵ２０１と、ＣＰＵ２０１にて実行されるプログラムや各種データ等が記憶されたＲＯＭ２０２と、ＣＰＵ２０１の作業用メモリ等として用いられるＲＡＭ２０３と、を備えている。
遊技制御部２００は、第１始動口１２１または第２始動口１２２に遊技球が入賞すると特別図柄抽選を行い、特別図柄抽選での当選か否かの判定結果を演出制御部３００に送る。また、特別図柄抽選時の当選確率の変動設定（例えば３００分の１から３０分の１への変動設定）、特別図柄抽選時の特別図柄変動時間の短縮設定、および普通図柄抽選時の普通図柄変動時間の短縮設定を行い、設定内容を演出制御部３００に送る。
【００３０】
さらに、遊技制御部２００は、電動チューリップ１２３の羽根の開時間の延長、および電動チューリップ１２３の羽根が開く回数の設定、さらには羽根が開く際の開閉動作間隔の設定を制御する。また、遊技球が連続的に第１始動口１２１または第２始動口１２２へ入賞したときの未抽選分の限度個数（例えば４個）までの保留や、遊技球が連続的にゲート１２４を通過したときの未抽選分の限度個数（例えば４個）までの保留を設定する。
また、遊技制御部２００は、特別図柄抽選の結果に応じて、大入賞口１２５が所定条件（例えば３０秒経過または遊技球１０個の入賞）を満たすまで開状態を維持するラウンドを所定回数だけ繰り返すように制御する。さらには、大入賞口１２５が開く際の開閉動作間隔を制御する。
【００３１】
さらに、遊技制御部２００は、第１始動口１２１、第２始動口１２２、大入賞口１２５および普通入賞口１２６に遊技球が入賞すると、遊技球が入賞した場所に応じて１つの遊技球当たり所定数の賞球を払い出すように、払出制御部４００に対する指示を行う。例えば、第１始動口１２１に遊技球が入賞すると３個の賞球、第２始動口１２２に遊技球が入賞すると４個の賞球、大入賞口１２５に遊技球が入賞すると１３個の賞球、普通入賞口１２６に遊技球が入賞すると１０個の賞球をそれぞれ払い出すように、払出制御部４００に指示命令（コマンド）を送る。なお、ゲート１２４を遊技球が通過したことを検出しても、それに連動した賞球の払い出しは払出制御部４００に指示しない。
払出制御部４００が遊技制御部２００の指示に従って賞球の払い出しを行った場合には、遊技制御部２００は、払い出した賞球の個数に関する情報を払出制御部４００から取得する。それにより、払い出した賞球の個数を管理する。
【００３２】
遊技制御部２００には、図２に示すように、第１始動口１２１への遊技球の入賞を検出する第１始動口検出部（第１始動口スイッチ（ＳＷ））２１１と、第２始動口１２２への遊技球の入賞を検出する第２始動口検出部（第２始動口スイッチ（ＳＷ））２１２と、電動チューリップ１２３を開閉する電動チューリップ開閉部２１３と、ゲート１２４への遊技球の通過を検出するゲート検出部（ゲートスイッチ（ＳＷ））２１４と、が接続されている。
さらに、遊技制御部２００には、大入賞口１２５への遊技球の入賞を検出する大入賞口検出部（大入賞口スイッチ（ＳＷ））２１５と、大入賞口１２５を閉状態と突出傾斜した開状態とに設定する大入賞口開閉部２１６と、普通入賞口１２６への遊技球の入賞を検出する普通入賞口検出部（普通入賞口スイッチ（ＳＷ））２１７と、が接続されている。
【００３３】
また、遊技制御部２００には、第１始動口１２１への遊技球の入賞により始動した特別図柄抽選（大当たり抽選）の未抽選分の保留個数を限度個数内（例えば４個）で表示する第１特別図柄保留表示器２１８と、第２始動口１２２への遊技球の入賞により始動した特別図柄抽選の未抽選分の保留個数を限度個数内で表示する第２特別図柄保留表示器２１９と、ゲート１２４への遊技球の通過により始動した普通図柄抽選（開閉抽選）が始動する未抽選分の保留個数を限度個数内で表示する普通図柄保留表示器２２０と、が接続されている。
さらに、遊技制御部２００には、第１始動口１２１への遊技球の入賞により始動した特別図柄抽選の結果を表示する第１特別図柄表示器２２１と、第２始動口１２２への遊技球の入賞により始動した特別図柄抽選の結果を表示する第２特別図柄表示器２２２と、普通図柄抽選の結果を表示する普通図柄表示器２２３と、パチンコ遊技機１００の状態を表示する状態表示器２２４と、が接続されている。
【００３４】
そして、第１始動口スイッチ２１１、第２始動口スイッチ２１２、ゲートスイッチ２１４、大入賞口スイッチ２１５および普通入賞口スイッチ２１７にて検出された検出信号が、遊技制御部２００に送られる。また、遊技制御部２００からの制御信号が、電動チューリップ開閉部２１３、大入賞口開閉部２１６、第１特別図柄保留表示器２１８、第２特別図柄保留表示器２１９、普通図柄保留表示器２２０、第１特別図柄表示器２２１、第２特別図柄表示器２２２、普通図柄表示器２２３および状態表示器２２４に送られる。それにより、遊技制御部２００は、上記した払い出し賞球数に関連する各種制御を行う。
【００３５】
さらに、遊技制御部２００には、ホールに設置されたホストコンピュータ（不図示）に対して各種の情報を送信する盤用外部情報端子基板２５０が接続されている。そして、遊技制御部２００は、払出制御部４００から取得した払い出した賞球数に関する情報や遊技制御部２００の状態等を示す情報を、盤用外部情報端子基板２５０を介してホストコンピュータに送信する。
【００３６】
〔演出制御部の構成・機能〕
次に、演出制御部３００は、演出を制御する際の演算処理を行うＣＰＵ３０１と、ＣＰＵ３０１にて実行されるプログラムや各種データ等が記憶されたＲＯＭ３０２と、ＣＰＵ３０１の作業用メモリ等として用いられるＲＡＭ３０３と、日時を計測するリアルタイムクロック（ＲＴＣ）３０４と、を備えている。
演出制御部３００は、例えば遊技制御部２００から送られる特別図柄抽選での当選か否かの判定結果に基づいて、演出内容を設定する。その際、演出ボタン等（演出ボタン１６１および演出キー１６２）を用いたユーザからの操作入力を受けて、操作入力に応じた演出内容を設定する場合もある。この場合、例えば演出ボタン等のコントローラ（不図示）から操作に応じた信号（操作信号）を受け付け、この操作信号により識別される操作内容を演出の設定に反映させる。また、遊技が所定期間中断された場合には、演出の一つとして客待ち用の画面表示の設定を指示する。
さらには、遊技制御部２００が特別図柄抽選時の当選確率を変動させた場合、特別図柄抽選時の特別図柄変動時間を短縮させた場合、および普通図柄抽選時の普通図柄変動時間を短縮させた場合には、演出制御部３００は設定された内容に対応させて演出内容を設定する。
また、演出制御部３００は、設定した演出内容の実行を指示するコマンドを画像／音響制御部３１０およびランプ制御部３２０に送る。
【００３７】
〔画像／音響制御部の構成・機能〕
画像／音響制御部３１０は、演出内容を表現する画像および音響を制御する際の演算処理を行うＣＰＵ３１０Ｃと、ＣＰＵ３１０Ｃにて実行されるプログラムや各種データ等が記憶されたＲＯＭ３１０Ｒと、ＣＰＵ３１０Ｃの作業用メモリ等として用いられるＲＡＭ３１０Ａと、を備えている。
【００３８】
そして、画像／音響制御部３１０は、演出制御部３００から送られたコマンドに基づいて、画像表示部１１４に表示する画像およびスピーカ１５６から出力する音響を制御する。
具体的には、画像／音響制御部３１０のＲＯＭ３１０Ｒには、画像表示部１１４において遊技中に表示する図柄画像や背景画像、遊技者に抽選結果を報知するための装飾図柄、遊技者に予告演出を表示するためのキャラクタやアイテム等といった画像データが記憶されている。さらには、画像データと同期させて、または画像データとは独立にスピーカ１５６から出力させる楽曲や音声、さらにはジングル等の効果音等といった各種音響データが記憶されている。ＣＰＵ３１０Ｃは、ＲＯＭ３１０Ｒに記憶された画像データや音響データの中から、演出制御部３００から送られたコマンドに対応したものを選択して読み出す。さらには、読み出した画像データを用いて背景画像表示、図柄画像表示、図柄画像変動、およびキャラクタ／アイテム表示等のための画像処理と、読み出した音響データを用いた音声処理とを行う。
そして、画像／音響制御部３１０は、画像処理された画像データにより画像表示部１１４での画面表示を制御する。また、音声処理された音響データによりスピーカ１５６から出力される音響を制御する。
【００３９】
〔ランプ制御部の構成・機能〕
ランプ制御部３２０は、盤ランプ１１６や枠ランプ１５７の発光、および可動役物１１５の動作を制御する際の演算処理を行うＣＰＵ３２０Ｃと、ＣＰＵ３２０Ｃにて実行されるプログラムや各種データ等が記憶されたＲＯＭ３２０Ｒと、ＣＰＵ３２０Ｃの作業用メモリ等として用いられるＲＡＭ３２０Ａと、を備えている。
そして、ランプ制御部３２０は、演出制御部３００から送られたコマンドに基づいて、盤ランプ１１６や枠ランプ１５７の点灯／点滅や発光色等を制御する。また、ランプ制御部３２０は、上述した可動役物１１５におけるポート集積部２４、上側ケーブル機構部３および下側ケーブル機構部５の動作を制御する。
【００４０】
具体的には、ランプ制御部３２０のＲＯＭ３２０Ｒには、演出制御部３００にて設定される演出内容に応じた盤ランプ１１６や枠ランプ１５７での点灯／点滅パターンデータおよび発光色パターンデータ（発光パターンデータ）が記憶されている。ＣＰＵ３２０Ｃは、ＲＯＭ３２０Ｒに記憶された発光パターンデータの中から、演出制御部３００から送られたコマンドに対応したものを選択して読み出す。そして、ランプ制御部３２０は、読み出した発光パターンデータにより盤ランプ１１６や枠ランプ１５７の発光を制御する。
また、ランプ制御部３２０のＲＯＭ３２０Ｒには、演出制御部３００にて設定される演出内容に応じた可動役物１１５の動作パターンデータが記憶されている。ＣＰＵ３２０Ｃは、可動役物１１５に対しては、読み出した動作パターンデータによりその動作を制御する。
【００４１】
〔払出制御部の構成・機能〕
払出制御部４００は、払出球の払い出しを制御する際の演算処理を行うＣＰＵ４０１と、ＣＰＵ４０１にて実行されるプログラムや各種データ等が記憶されたＲＯＭ４０２と、ＣＰＵ４０１の作業用メモリ等として用いられるＲＡＭ４０３と、を備えている。
そして、払出制御部４００は、遊技制御部２００から送られたコマンドに基づいて、払出球の払い出しを制御する。
具体的には、払出制御部４００は、遊技制御部２００から、遊技球が入賞した場所（第１始動口１２１等）に応じた所定数の賞球を払い出すコマンドを取得する。そして、コマンドに指定された数だけの賞球を払い出すように払出駆動部４１１を制御する。ここでの払出駆動部４１１は、遊技球の貯留部から遊技球を送り出す駆動モータで構成される。
【００４２】
また、払出制御部４００には、払出駆動部４１１により遊技球の貯留部から実際に払い出された賞球の数を検出する払出球検出部４１２と、貯留部（不図示）での遊技球の貯留の有無を検出する球有り検出部４１３と、遊技者が遊技する際に使用する遊技球や払い出された賞球が保持される皿１５３が満タン状態に有るか否かを検出する満タン検出部４１４と、が接続されている。そして、払出制御部４００は、払出球検出部４１２、球有り検出部４１３および満タン検出部４１４にて検出された検出信号を受け取り、これらの検出信号に応じた所定の処理を行う。
【００４３】
さらに、払出制御部４００には、ホールに設置されたホストコンピュータに対して各種の情報を送信する枠用外部情報端子基板４５０が接続されている。そして、払出制御部４００は、例えば払出駆動部４１１に対して払い出すように指示した賞球数に関する情報や払出球検出部４１２にて検出された実際に払い出された賞球数に関する情報等を枠用外部情報端子基板４５０を介してホストコンピュータに送信する。また、遊技制御部２００に対しても、同様の情報を送信する。
【００４４】
〔可動役物１１５の構成・機能〕
本実施形態の可動役物１１５は、接続ポートと、接続ポートに接続する複数のネットワークケーブルとを摸した部材であり、接続ポートに対するネットワークケーブルの接続動作を表現する。具体的には、ポート機構部２が接続ポートを摸し、上側ケーブル機構部３、下側ケーブル機構部５および右側ケーブル部７０がネットワークケーブルを摸している。
【００４５】
（ポート機構部２の構成・機能）
図４は、本実施形態のポート機構部２を説明するための図である。なお、図４（ａ）はポート機構部２を正面側（遊技者側）からみた図であり、図４（ｂ）はポート機構部２を背面側から見た図である。
ポート機構部２は、図４（ａ）に示すように、ポートベース部材２０Ｂと、後述の上側ケーブル部３０や下側ケーブル部５０の接続を受けるポート集積部２４と、ポート集積部２４を上下方向に移動させるスライダ駆動部２１とを備えている。
【００４６】
ポートベース部材２０Ｂは、不図示のネジなどの固定部材によって遊技盤１１０に固定されている。そして、ポートベース部材２０Ｂには、ポート集積部２４に接続するスライダ駆動部２１が取り付けられている。従って、ポートベース部材２０Ｂは、スライダ駆動部２１を介してポート集積部２４を保持する。
スライダ駆動部２１は、クランク２２と、クランク２２に連結する連結ロッド２３と、連結ロッド２３が接続する板状の部材である移動板２７Ａと、移動板２７Ａに摺動可能に嵌め合わされ移動板２７Ａの移動を案内するガイド板２７Ｂと、クランク２２の回転駆動源となるポート部モータ２０Ｍとを有している。
【００４７】
クランク２２は、ポート部モータ２０Ｍに接続している。また、クランク２２は、ヒンジ２３ｈを介して連結ロッド２３に連結している。そして、クランク２２は、ポート部モータ２０Ｍによる回転駆動に応じて連結ロッド２３を移動させる。
移動板２７Ａは、一端側がヒンジ２７ｈを介して連結ロッド２３に接続し、他端側がポート集積部２４に固定されている。また、移動板２７Ａは、ガイド板２７Ｂに摺動可能に取り付けられる。本実施形態では、ガイド板２７Ｂは、パチンコ遊技機１００の上下方向に延びて設けられ、ポートベース部材２０Ｂに保持されて、移動板２７Ａの移動を案内する。そして、移動板２７Ａは、ガイド板２７Ｂに案内されることによって、パチンコ遊技機１００の上下方向に移動可能に設けられる。
【００４８】
被接続部２４の一例としてのポート集積部２４は、左側ポート２４Ｌ、中央ポート２４Ｍおよび右側ポート２４Ｒを有している。左側ポート２４Ｌは、正面側からみて左側に設けられる。左側ポート２４Ｌは、後述する上側プラグ３１が接続する部位である。また、中央ポート２４Ｍは、正面側からみて左側ポート２４Ｌと右側ポート２４Ｒとの間に設けられる。中央ポート２４Ｍは、後述する下側プラグ５１が接続する部位である。そして、右側ポート２４Ｒは、正面側からみて右側に設けられる。右側ポート２４Ｒは、後述の右側プラグ７１が取り付けられた部位である。
【００４９】
左側ポート２４Ｌおよび中央ポート２４Ｍは、図４（ｂ）に示すように、それぞれ開口を有している。そして、左側ポート２４Ｌは後述の上側プラグ３１を、中央ポート２４Ｍは後述の下側プラグ５１をそれぞれ開口の内側に収容できるようにしている。また、左側ポート２４Ｌおよび中央ポート２４Ｍは、電磁石２５をそれぞれ備えている。電磁石２５は、それぞれケーブル２６を介して電源供給を受ける。そして、左側ポート２４Ｌおよび中央ポート２４Ｍでは、各々の電磁石２５に通電することによって、磁力によって吸着される金属を有する上側プラグ３１のプラグ先端部３１Ｈ（後述）や下側プラグ５１のプラグ先端部５１Ｈ（後述）を磁力によって吸着するように構成している。
なお、この電磁石２５の通電の制御は、ケーブル２６を介して接続するランプ制御部３２０によって行う。
【００５０】
図４（ａ）に示すように、例えばクランク２２を図４中ＣＷ方向に回転させると、連結ロッド２３を介して移動板２７Ａが図中上方へと押し上げられる。そして、移動板２７Ａに接続するポート集積部２４は、遊技盤１１０の上方に向けて移動して待機状態となる。一方、例えばクランク２２を図４中ＣＣＷ方向に回転させると、連結ロッド２３を介して移動板２７Ａが図中下側へと押し下げられる。そして、移動板２７Ａに接続するポート集積部２４は、遊技盤１１０の下方に向けて移動して出現状態となる。
【００５１】
また、出現状態にあるポート集積部２４に対して、後述する上側プラグ３１や下側プラグ５１が近接する状態にて、電磁石２５に通電することでプラグ先端部３１Ｈおよびプラグ先端部５１Ｈの吸着を行う。そして、本実施形態では、ポート集積部２４と上側プラグ３１および下側プラグ５１とを接続させる。なお、ポート集積部２４とプラグ先端部３１Ｈおよびプラグ先端部５１Ｈとの電磁石による吸着は、上側プラグ３１側や下側プラグ５１側に電磁石を設ける構成を採用しても構わない。
また、本実施形態では、右側ケーブル部７０の右側プラグ７１は常にポート集積部２４に接続した状態にしている。
【００５２】
（上側ケーブル機構部３の構成・機能）
図５は、本実施形態の上側ケーブル機構部３の全体図である。なお、図５（ａ）は上側ケーブル機構部３を正面側から見た図であり、図５（ｂ）は上側ケーブル機構部３を背面側から見た図である。
図６は、上側ケーブル機構部３を詳細に説明するための図である。
上側ケーブル機構部３は、図５（ａ）および図５（ｂ）に示すように、上側ケーブル部３０と、上側ケーブル部３０を駆動する駆動機構部３４と、各種部材を保持する正面側ハウジング３Ａおよび背面側ハウジング３Ｂと、を有している。また、上側ケーブル機構部３は、図５（ａ）に示すように、張力を付与することによって連結体３２の形状や上側プラグ３１の向きを変える第１ワイヤ４１および第２ワイヤ４２を備えている。
【００５３】
上側ケーブル機構部３が遊技盤１１０に取り付けられた状態にて、正面側に正面側ハウジング３Ａが設けられ、背面側に背面側ハウジング３Ｂが設けられる。そして、正面側ハウジング３Ａおよび背面側ハウジング３Ｂは、間に予め定められた空間を形成するようにして対向した状態で固定される。そして、正面側ハウジング３Ａおよび背面側ハウジング３Ｂは、内側にギア部材やモータなどの各種部材を保持する。また、本実施形態では、背面側ハウジング３Ｂが遊技盤１１０に固定されることで、上側ケーブル機構部３全体が遊技盤１１０に保持される。
【００５４】
そして、移動部材の一例としての上側ケーブル部３０は、ポート機構部２の左側ポート２４Ｌに接続する上側プラグ３１と、上側プラグ３１に接続する連結体３２と、連結体３２を保持するとともに連結体３２を回転させるアーム部３３と、を有する。
移動部材の他端部の一例としての上側プラグ３１は、連結体３２におけるアーム部３３の接続側とは反対側の端部に設けられる。そして、上側プラグ３１は、左側ポート２４Ｌに接続する部分である。上側プラグ３１は、図６（ａ）に示すように、プラグ先端部３１Ｈと、第１ワイヤ保持部３１１と、第２ワイヤ保持部３１２と、連結体接続部３１３と、これらの部材を収容するプラグハウジング３１４と、を有する。
【００５５】
接続部の一例としてのプラグ先端部３１Ｈは、本実施形態では円柱形状をしている。そして、上側プラグ３１は、左側ポート２４Ｌに接続した際に、左側ポート２４Ｌの内側にプラグ先端部３１Ｈが入り込むように形状を設定している。さらに、上側プラグ３１のプラグ先端部３１Ｈは、電磁石等の磁力によって吸着される金属を用いている。
【００５６】
図６（ａ）に示すように、第１ワイヤ保持部３１１は、第１ワイヤ４１の端部を保持する部分である。また、第２ワイヤ保持部３１２は、第２ワイヤ４２の端部を保持する部分である。本実施形態では、第１ワイヤ保持部３１１および第２ワイヤ保持部３１２は、プラグハウジング３１４の形状として一体的に形成されている。そして、第１ワイヤ保持部３１１は、Ｃ字状に形成された部分であり、内側に第１ワイヤ４１の端部に形成される径大部４１Ｄを保持する。第２ワイヤ保持部３１２は、Ｃ字状に形成された部分であり、内側に第２ワイヤ４２の端部に形成される後述の径大部４２Ｄを保持する。
【００５７】
連結体接続部３１３は、連結体３２と上側プラグ３１とを接続する部分である。図６（ａ）に示すように、連結体接続部３１３は、一端側がプラグハウジング３１４に固定されている。また、連結体接続部３１３は、他端に連結体３２の接続部３２１Ｐ（後述）と連結可能な形状に形成されているとともに、ピン３２３を通すことができる貫通孔を有している。
そして、上側プラグ３１は、ピン３２３を介して連結体接続部３１３とケーブル片３２Ｐとが連結することで連結体３２に接続する。
【００５８】
連結体３２は、一端側に上側プラグ３１が取り付けられ、他端側がアーム部３３に接続する部材である。本実施形態では、連結体３２は、互いに連結された複数のケーブル片３２Ｐによって構成している。そして、連結体３２は、長く延びた長尺形状を有している。また、連結体３２は、ケーブル片３２Ｐ同士を連結するピン３２３を回転軸とし各々のケーブル片３２Ｐが回転（スイング）することで、全体として折れ曲がるように変形可能に構成されている。
【００５９】
各ケーブル片３２Ｐは、図６（ｂ）に示すように、第１片３２１と、第２片３２２と、ピン３２３とを有する。
各ケーブル片３２Ｐの第１片３２１は、図６（ｃ）に示すように、隣接する他のケーブル片３２Ｐと接続するための接続部３２１Ｐを一端側に有し、隣接する他のケーブル片３２Ｐとの接続を受けるための被接続部３２１Ｎを他端側に有している。
接続部３２１Ｐは、隣接する他のケーブル片３２Ｐに向けて突出するように形成されている。また、接続部３２１Ｐは、図６（ｂ）に示すように、内側にピン３２３を取り付ける貫通孔ＰＨを備えている。被接続部３２１Ｎは、他のケーブル片３２Ｐの接続部３２１Ｐに接続可能に成形されている。また、図６（ｂ）に示すように、接続部３２１Ｐは、内側にピン３２３を取り付ける貫通孔ＮＨを備えている。
【００６０】
そして、図６（ｃ）に示すように、例えば隣接するケーブル片３２Ｐ同士のうち一方の第１片３２１の接続部３２１Ｐと他方の第１片３２１の被接続部３２１Ｎとを重ね合わせ、接続部３２１Ｐの貫通孔ＰＨと被接続部３２１Ｎの貫通孔ＮＨとを通すようにピン３２３を取り付けることによってケーブル片３２Ｐ同士が連結する。
なお、連結体３２に対する上側プラグ３１やアーム部３３の接続は、連結体３２の端に位置するケーブル片３２Ｐの接続部３２１Ｐや被接続部３２１Ｎを用いて行う。
【００６１】
さらに、図６（ｂ）に示すように、第１片３２１は、ピン３２３が設けられる中央部を挟んで、両側にそれぞれ形成される溝３２４を有している。溝３２４は、第１ワイヤ４１および第２ワイヤ４２を保持するための空間を形成する。そして、図６（ａ）に示すように、複数のケーブル片３２Ｐが連結することによって、各ケーブル片３２Ｐの各々の溝３２４が連なって筋状の溝を形成する。そして、図６（ａ）に示すように、連なったケーブル片３２Ｐの筋状の溝３２４に沿って、第１ワイヤ４１および第２ワイヤ４２を収容する。
【００６２】
また、ケーブル片３２Ｐの溝３２４は、第１ワイヤ４１および第２ワイヤ４２の外径よりも大きく形成している。上側ケーブル機構部３では、後述するとおり、上側プラグ３１と正面側ハウジング３Ａに両端部がそれぞれ保持される第１ワイヤ４１および第２ワイヤ４２を緊張させたり弛めたりすることで連結体３２を変形させる。この変形の際に、第１ワイヤ４１および第２ワイヤ４２が両端の部分以外となる途中で引っ掛からないように、第１ワイヤ４１および第２ワイヤ４２の外径に比べて溝３２４を大きくしている。
【００６３】
第２片３２２は、第１片３２１に対向するように取り付けられる。第２片３２２と第１片３２１との接続には、図６（ｃ）に示すようにネジ３２Ｓを用いている。第２片３２２は、第１片３２１に対向して取り付けられることで、第１片３２１に形成された溝３２４を覆い、第１ワイヤ４１および第２ワイヤ４２がケーブル片３２Ｐ内に収まった状態にする。さらに、第２片３２２は、第１片３２１に対向して取り付けられることで、接続部３２１Ｐの貫通孔ＰＨおよび被接続部３２１Ｎの貫通孔ＮＨに通されるピン３２３を保持する。
【００６４】
また、第２片３２２は、図６（ａ）に示すように、上側プラグ３１側に設けられる端面であるプラグ側端面ＰＰと、アーム本体部３３１側に設けられる端面であるアーム側端面ＡＰを有する。そして、複数のケーブル片３２Ｐを連結した状態にて、隣接する２つの第２片３２２において、一方の第２片３２２のアーム側端面ＡＰと他方の第２片３２２のプラグ側端面ＰＰとが対向する。
アーム側端面ＡＰは、図６（ａ）にて拡大図で示すように正面側からみて、ピン３２３が設けられる中央部を頂点とし本実施形態ではアーム本体部３３１側から上側プラグ３１側に向けて幅が広がるように形成されたテーパ形状になっている。アーム側端面ＡＰは、第１面Ｐ１と第２面Ｐ２とによって構成される。そして、第１面Ｐ１は、ケーブル片３２Ｐにおいてピン３２３を挟んで第１ワイヤ４１が設けられる側に形成している。一方、第２面Ｐ２は、ケーブル片３２Ｐにおいてピン３２３を挟んで第２ワイヤ４２が設けられる側に形成している。
一方、プラグ側端面ＰＰは、図６（ａ）にて拡大図で示すように、直線上の面によって構成している。
【００６５】
そして、複数のケーブル片３２Ｐを連結した状態にて、隣接する第２片３２２のアーム側端面ＡＰとプラグ側端面ＰＰとが接触する。このとき、プラグ側端面ＰＰに対して、アーム側端面ＡＰを構成する第１面Ｐ１および第２面Ｐ２のいずれが接触するかによって、各ケーブル片３２Ｐの向く方向が異なる。そして、本実施形態では、第１ワイヤ４１および第２ワイヤ４２を用いて、アーム側端面ＡＰとプラグ側端面ＰＰとの接触状態を変更し、連結体３２の形状を変化させる。
【００６６】
例えば、ケーブル片３２Ｐのアーム側端面ＡＰの第１面Ｐ１がプラグ側端面ＰＰに接触した状態で（図６（ａ）参照）では、そのケーブル片３２Ｐは一方向を向いて曲がる。本実施形態では、図５（ａ）に示すように、連結体３２は左側を向くようにして曲がる。一方、ケーブル片３２Ｐのアーム側端面ＡＰの第２面Ｐ２がプラグ側端面ＰＰに接触した状態（図６（ａ）参照）では、一方向とは逆となる方向を向いて曲がる。本実施形態では、ケーブル片３２Ｐは、図５（ａ）に示す側とは逆となる右側を向くようにして曲がる。
【００６７】
アーム部３３は、図５（ａ）に示すように、アーム本体部３３１と、アーム本体部３３１の一端部に設けられ駆動機構部３４に接続する駆動接続部３３３と、アーム本体部３３１の他端側に設けられ連結体３２に接続する連結体接続部３３２とを有する。さらに、アーム部３３は、第１ワイヤ４１を掛ける第１プーリ３３４と、第２ワイヤ４２を掛ける第２プーリ３３５と、を有している。
【００６８】
アーム本体部３３１は、本実施形態では長尺状に長く延びて形成される。そして、図６に示すように、アーム本体部３３１は、長手方向に沿って設けられる溝３３Ｔを有している。溝３３Ｔは、第１ワイヤ４１および第２ワイヤ４２を収める空間を形成している。なお、アーム本体部３３１では、図６に破線で示す蓋３３Ｃによって、溝３３Ｔに沿って設けられる第１ワイヤ４１および第２ワイヤ４２が内側に収容された状態になる。
【００６９】
連結体接続部３３２は、連結体３２の端に位置するケーブル片３２Ｐに接続する部分である。連結体接続部３３２は、ケーブル片３２Ｐの被接続部３２１Ｎに接続できるように突出した形状を有するとともに、ピン３２３を通す貫通孔を内側に有している。そして、連結体接続部３３２を介してケーブル片３２Ｐと連結することによって、アーム部３３と連結体３２とが接続する。
【００７０】
なお、本実施形態の上側ケーブル機構部３では、上側ケーブル部３０が回動して最も上がった状態にて、出現状態にあるポート機構部２のポート集積部２４の左側ポート２４Ｌに接続可能になるように連結体３２やアーム部３３等の長さや位置を設定している。ここで、上側ケーブル部３０は、アーム部３３を用いずに連結体３２のみによって上側プラグ３１を移動させ、ポート集積部２４に接続するように構成しても良い。ただし、本実施形態の上側ケーブル部３０では、変形の自由度の高い連結体３２のみではなく形状が固定されたアーム部３３を用いていることで、上側プラグ３１と左側ポート２４Ｌとの接続の精度を高めている。
【００７１】
駆動接続部３３３は、アーム本体部３３１の駆動機構部３４側に設けられる。本実施形態では、駆動接続部３３３はアーム本体部３３１と一体的に成形される。そして、駆動接続部３３３は、駆動機構部３４の第３ギア３４３（後述）と回動軸３４Ｓを共通にする部材である。駆動接続部３３３は、ネジなどの固定部材によって第３ギア３４３に取り付けられる。駆動接続部３３３は、第３ギア３４３が回転することによって、第３ギア３４３とともに回転する。
【００７２】
また、図５（ａ）に示すように、駆動接続部３３３には、第１プーリ３３４および第２プーリ３３５が取り付けられる。そして、第１プーリ３３４には、第１ワイヤ４１が掛けられる。また、第２プーリに３３５には、第２ワイヤ４２が掛けられる。
【００７３】
駆動機構部３４は、図５（ｂ）に示すように、第１ギア３４１、第２ギア３４２、第３ギア３４３、および上側モータ３４Ｍを有している。
第１ギア３４１、第２ギア３４２および第３ギア３４３は、正面側ハウジング３Ａと背面側ハウジング３Ｂとよって支持される回転軸に通されることで正面側ハウジング３Ａおよび背面側ハウジング３Ｂに取り付けられる。また、上側モータ３４Ｍは、背面側ハウジング３Ｂの外側に取り付けられる。そして、背面側ハウジング３Ｂと正面側ハウジング３Ａとの間に挟まれる第１ギア３４１に対し、上側モータ３４Ｍのモータ軸が開口から内側に臨んで設けられ第１ギア３４１に接続する。
【００７４】
第１ギア３４１は、上記のとおり、上側モータ３４Ｍのモータ軸に接続している。第２ギア３４２は、第１ギア３４１および第３ギア３４３にそれぞれ接続する。第３ギア３４３は、第２ギア３４２に接続するとともに、回動軸３４Ｓを共通にしてアーム部３３の駆動接続部３３３に取り付けられる。そして、駆動機構部３４では、これら第１ギア３４１、第２ギア３４２および第３ギア３４３によって構成されるギア列によって、上側モータ３４Ｍの駆動力をアーム部３３に伝達する。
【００７５】
続いて、第１ワイヤ４１および第２ワイヤ４２について説明する。
本実施形態の第１ワイヤ４１および第２ワイヤ４２の材料には、複数の金属線をより合わせた線材を用いることができる。第１ワイヤ４１は、一端側に被保持部４１Ｅを有し、他端側に他の部分と比較して径の大きい径大部４１Ｄを有する。第２ワイヤ４２は、一端側に被保持部４２Ｅを有し、他端側に他の部分と比較して径の大きい径大部４２Ｄを有する。
そして、第１ワイヤ４１は、図５（ａ）に示すように、連結体３２およびアーム部３３の内側に通される。さらに、第１ワイヤ４１は、被保持部４１Ｅが正面側ハウジング３Ａに設けられる第１アンカー部４１Ａに固定され、径大部４１Ｄが上側プラグ３１の第１ワイヤ保持部３１１に取り付けられる（図６（ａ）参照）。また、第１ワイヤ４１は、被保持部４１Ｅおよび径大部４１Ｄの間にてアーム部３３の第１プーリ３３４に掛けられる。
【００７６】
第２ワイヤ４２は、図５（ａ）に示すように、連結体３２およびアーム部３３の内部に通される。さらに、第２ワイヤ４２は、被保持部４２Ｅが正面側ハウジング３Ａに設けられる第１アンカー部４１Ａに固定され、径大部４２Ｄが上側プラグ３１の第２ワイヤ保持部３１２に取り付けられる（図６（ｂ）参照）。また、第２ワイヤ４２は、被保持部４２Ｅおよび径大部４２Ｄの間にてアーム部３３の第２プーリ３３５に掛けられる。
また、第１アンカー部４１Ａと第２アンカー部４２Ａは、アーム部３３の駆動接続部３３３を間に挟むようにして第１プーリ３３４および第２プーリ３３５の外側にそれぞれ配置する。
【００７７】
本実施形態では、アーム部３３の一方向および逆方向への回転である回動動作に伴って、第１ワイヤ４１および第２ワイヤ４２の一方を緊張させたり他方を弛めたりすることで連結体３２を変形させる。そして、本実施形態では、第１ワイヤ４１および第２ワイヤ４２に対する緊張や弛めの操作をアーム部３３の駆動接続部３３３に設けた第１プーリ３３４と第２ワイヤ４２とによって行う。
本実施形態の上側ケーブル機構部３において、アーム部３３の回動に伴う第１プーリ３３４と第１ワイヤ保持部３１１との間隔の変化は僅かである。同様に、アーム部３３の回動に伴う第２プーリ３３５と第２ワイヤ保持部３１２との間隔の変化も僅かである。そこで、本実施形態では、アーム部３３の回動に伴って、第１プーリ３３４と第１アンカー部４１Ａとの間隔、第２プーリ３３５と第２アンカー部４２Ａとの間隔がそれぞれ変化するように構成している。
【００７８】
さらに、アーム部３３における駆動接続部３３３の回動に伴う、第１アンカー部４１Ａと第１プーリ３３４との間隔の増減と、第２アンカー部４２Ａと第２プーリ３３５との間隔の増減との関係が逆になるように、第１アンカー部４１Ａと第２アンカー部４２Ａとをそれぞれ配置している。
図５（ａ）に示すように、本実施形態では、上記の条件を満たすように、第１アンカー部４１Ａと第２アンカー部４２Ａを、アーム部３３の駆動接続部３３３を間に挟むようにして第１プーリ３３４と第２プーリ３３５との外側にそれぞれ配置している。そして、第１アンカー部４１Ａを第１プーリ３３４側に設け、第２アンカー部６２Ａを第２プーリ３３５側に設けている。
【００７９】
例えば、回動軸３４Ｓを中心として、アーム部３３が図５（ａ）中ＣＷ方向に回動すると、第１プーリ３３４は第１アンカー部４１Ａに対し遠ざかる。そして、第１プーリ３３４が第１アンカー部４１Ａから遠ざかることによって、第１ワイヤ４１が引っ張られて第１ワイヤ４１が緊張した状態になる。
なお、回動軸３４Ｓを中心として、アーム部３３が図５（ａ）中ＣＷ方向に回動した場合、第２アンカー部４２Ａに対し第２プーリ３３５が近づいた状態になる。このとき、第２プーリ３３５に掛けられる第２ワイヤ４２は、緊張が解かれて弛んだ状態になる。
【００８０】
一方、回動軸３４Ｓを中心として、アーム部３３が図５（ａ）中ＣＣＷ方向に回転すると、第１プーリ３３４は第１アンカー部４１Ａに対して近づいた状態になる。このとき、第１プーリ３３４に掛けられる第１ワイヤ４１は、緊張が解かれて弛んだ状態になる。
そして、回動軸３４Ｓを中心として、アーム部３３が図５（ａ）中ＣＣＷ方向に回転した場合、第２プーリ３３５は第２アンカー部４２Ａに対し遠ざかる。そして、第２プーリ３３５が第２アンカー部４２Ａから遠ざかることによって、第２ワイヤ４２が引っ張られて第２ワイヤ４２が緊張した状態になる。
【００８１】
なお、本実施形態では正面側ハウジング３Ａに第１アンカー部４１Ａおよび第２アンカー部４２Ａを取り付けているがこれに限定されない。第１アンカー部４１Ａおよび第２アンカー部４２Ａは、アーム部３３が移動した際に第１ワイヤ４１および第２ワイヤ４２の何れか一方が引っ張られた状態を形成できれば良く、アーム部３３が移動した場合でもその位置が固定された箇所に第１アンカー部４１Ａおよび第２アンカー部４２Ａを取り付けておけば良い。
【００８２】
（下側ケーブル機構部５の構成・機能）
図７は、本実施形態の下側ケーブル機構部５の全体図である。なお、図７（ａ）は下側ケーブル機構部５を正面側から見た図であり、図７（ｂ）は下側ケーブル機構部５を背面側から見た図である。
図８は、下側ケーブル機構部５を詳細に説明するための図である。
下側ケーブル機構部５は、下側ケーブル部５０と、下側ケーブル部５０を駆動する駆動機構部５４と、各種部品を保持する正面側ハウジング５Ａおよび背面側ハウジング５Ｂとを有している。また、下側ケーブル機構部５は、図７（ａ）に示すように、連結体５２に張力を付与することによって、連結体５２の形状や下側プラグ５１の向きを変える第１ワイヤ６１および第２ワイヤ６２を備えている。
【００８３】
下側ケーブル機構部５が遊技盤１１０に取り付けられた状態にて、正面側に正面側ハウジング５Ａが設けられ、背面側に背面側ハウジング５Ｂが設けられる。そして、正面側ハウジング５Ａおよび背面側ハウジング５Ｂは、間に予め定められた空間を形成するようにして対向した状態で固定される。そして、正面側ハウジング５Ａおよび背面側ハウジング５Ｂは、内側にギア部材やモータなどの各種部材を保持する。また、本実施形態では、背面側ハウジング５Ｂが遊技盤１１０に固定されることで、下側ケーブル部５０全体として遊技盤１１０に取り付けられた状態になる。
【００８４】
また、本実施形態では、正面側ハウジング５Ａは、後述するアーム部５３の被案内部５３３Ｒを案内する案内部５５０を有している。案内部５５０は、本実施形態ではパチンコ遊技機１００の上下方向に延びる溝である。案内部５５０は、溝にアーム部５３の被案内部５３３Ｒを摺動可能に保持することによって、上側に設けられる上端部５５１と下側に設けられる下端部５５２との間にて被案内部５３３Ｒの移動を案内する。
【００８５】
そして、移動部材の一例としての下側ケーブル部５０は、ポート機構部２の中央ポート２４Ｍに接続する下側プラグ５１と、下側プラグ５１に接続する連結体５２と、連結体５２を保持するアーム部５３とを有する。
移動部材の他端部の一例としての下側プラグ５１は、連結体５２におけるアーム部５３の接続側とは反対側の端部に設けられる。そして、下側プラグ５１は、左側ポート２４Ｌに接続する部分である。下側プラグ５１は、図８（ａ）に示すように、プラグ先端部５１Ｈと、第１ワイヤ保持部５１１と、第２ワイヤ保持部５１２と、連結体接続部５１３と、これらの部材を収容するプラグハウジング５１４と、を有する。
【００８６】
接続部の一例としてのプラグ先端部５１Ｈは、本実施形態では円柱形状をしている。そして、下側プラグ５１は、中央ポート２４Ｍに接続した際に、中央ポート２４Ｍの内側にプラグ先端部５１Ｈが入り込むように形状を設定している。さらに、下側プラグ５１のプラグ先端部５１Ｈは、電磁石等の磁力によって吸着される金属を用いている。
【００８７】
図８（ａ）に示すように、第１ワイヤ保持部５１１は、第１ワイヤ６１の端部を保持する部分である。また、第２ワイヤ保持部５１２は、第２ワイヤ６２の端部を保持する部分である。本実施形態では、第１ワイヤ保持部５１１および第２ワイヤ保持部５１２は、プラグハウジング５１４の形状として一体的に形成されている。そして、第１ワイヤ保持部５１１は、Ｃ字状に形成された部分であり、内側に第１ワイヤ６１の端部に形成される径大部６１Ｄを保持する。第２ワイヤ保持部５１２は、Ｃ字状に形成された部分であり、内側に第２ワイヤ６２の端部に形成される径大部６２Ｄを保持する。
【００８８】
連結体接続部５１３は、連結体５２と下側プラグ５１とを接続する部分である。図８（ａ）に示すように、連結体接続部５１３は、一端側がプラグハウジング５１４に固定されている。また、連結体接続部５１３は、他端に連結体５２の接続部５２１Ｐ（後述）と連結可能な形状に形成されているとともに、ピン５２３を通すことができる貫通孔を有している。
そして、下側プラグ５１は、ピン５２３を介して連結体接続部５１３とケーブル片５２Ｐとが連結することで連結体５２に接続する。
【００８９】
連結体５２は、一端側に下側プラグ５１が取り付けられ、他端側がアーム部５３に接続する部材である。本実施形態では、連結体５２は、互いに連結された複数のケーブル片５２Ｐによって構成している。そして、連結体５２は、長く延びた長尺形状を有している。また、連結体５２は、ケーブル片５２Ｐ同士を連結するピン５２３を回転軸とし各々のケーブル片５２Ｐが回転することで、全体として折れ曲がるように変形可能になっている。
【００９０】
各ケーブル片５２Ｐは、図８（ｂ）に示すように、第１片５２１と、第２片５２２と、ピン５２３とを有する。
各ケーブル片５２Ｐの第１片５２１は、図８（ｃ）に示すように、隣接する他のケーブル片５２Ｐと接続するための接続部５２１Ｐを一端側に有し、隣接する他のケーブル片５２Ｐとの接続を受けるための被接続部５２１Ｎを他端側に有している。
接続部５２１Ｐは、隣接する他のケーブル片５２Ｐに向けて突出するように形成されている。また、接続部５２１Ｐは、図８（ｂ）に示すように、内側にピン５２３を取り付ける貫通孔ＰＨを備えている。被接続部５２１Ｎは、他のケーブル片５２Ｐの接続部５２１Ｐに接続可能に成形されている。また、図８（ｂ）に示すように、接続部５２１Ｐは、内側にピン５２３を取り付ける貫通孔ＮＨを備えている。
【００９１】
そして、図８（ｃ）に示すように、例えば隣接するケーブル片５２Ｐ同士のうち一方の第１片５２１の接続部５２１Ｐと他方の第１片５２１の被接続部５２１Ｎとを重ね合わせ、接続部５２１Ｐの貫通孔ＰＨと被接続部５２１Ｎの貫通孔ＮＨとを通すようにピン５２３を取り付けることによってケーブル片５２Ｐ同士が連結する。
なお、連結体５２に対する下側プラグ５１やアーム部５３の接続は、連結体５２の端に位置するケーブル片５２Ｐの接続部５２１Ｐや被接続部５２１Ｎを用いて行う。
【００９２】
さらに、図８（ｂ）に示すように、第２片５２２は、ピン５２３が設けられる中央部を挟んで、両側にそれぞれ形成される溝５２４を有している。溝５２４は、第１ワイヤ６１および第２ワイヤ６２を保持するための空間を形成する。そして、図８（ａ）に示すように、複数のケーブル片５２Ｐが連結することによって、各ケーブル片５２Ｐの各々の溝５２４が連なって筋状の溝を形成する。そして、図８（ａ）に示すように、連なったケーブル片５２Ｐの筋状の溝５２４に沿って、第１ワイヤ６１および第２ワイヤ６２を収容する。
【００９３】
また、ケーブル片５２Ｐの溝５２４は、第１ワイヤ６１および第２ワイヤ６２の外径よりも大きく形成している。下側ケーブル機構部５では、後述するとおり、下側プラグ５１と正面側ハウジング３Ａに両端部がそれぞれ保持される第１ワイヤ６１および第２ワイヤ６２を緊張させたり弛めたりすることで連結体５２を変形させる。この変形の際に、第１ワイヤ６１および第２ワイヤ６２が両端の部分以外となる途中で引っ掛からないように、第１ワイヤ６１および第２ワイヤ６２の外径に比べて溝５２４を大きくしている。
【００９４】
第２片５２２は、第１片５２１に対向するように取り付けられる。第２片５２２と第１片５２１との接続には、図８（ｃ）に示すようにネジ５２Ｓを用いている。第２片５２２は、第１片５２１に対向して取り付けられることで、第１片５２１に形成された溝５２４を覆い、第１ワイヤ６１および第２ワイヤ６２がケーブル片５２Ｐ内に収まった状態にする。さらに、第２片５２２は、第１片５２１に対向して取り付けられることで、接続部５２１Ｐの貫通孔ＰＨおよび被接続部５２１Ｎの貫通孔ＮＨに通されるピン５２３を保持する。
【００９５】
また、第２片５２２は、図８（ａ）に示すように、下側プラグ５１側に設けられる端面であるプラグ側端面ＰＰと、アーム本体部５３１側に設けられる端面であるアーム側端面ＡＰを有する。そして、複数のケーブル片５２Ｐを連結した状態にて、隣接する２つの第２片５２２において、一方の第２片５２２のアーム側端面ＡＰと他方の第２片５２２のプラグ側端面ＰＰとが対向する。
アーム側端面ＡＰは、図８（ａ）にて拡大図で示すように正面側からみて、ピン５２３が設けられる中央部を頂点とし本実施形態ではアーム本体部５３１側から下側プラグ５１側に向けて幅が広がるように形成されたテーパ形状になっている。アーム側端面ＡＰは、第１面Ｐ１と第２面Ｐ２とによって構成される。そして、第１面Ｐ１は、ケーブル片５２Ｐにおいてピン５２３を挟んで第１ワイヤ６１が設けられる側に形成している。一方、第２面Ｐ２は、ケーブル片５２Ｐにおいてピン５２３を挟んで第２ワイヤ６２が設けられる側に形成している。
一方、プラグ側端面ＰＰは、図８（ｂ）にて拡大図で示すように、直線上の面によって構成している。
【００９６】
そして、複数のケーブル片５２Ｐを連結した状態にて、隣接する第２片５２２のアーム側端面ＡＰとプラグ側端面ＰＰとが接触する。このとき、プラグ側端面ＰＰに対して、アーム側端面ＡＰを構成する第１面Ｐ１および第２面Ｐ２のいずれが接触するかによって、各ケーブル片５２Ｐの向く方向が異なる。そして、本実施形態では、第１ワイヤ６１および第２ワイヤ６２を用いて、アーム側端面ＡＰとプラグ側端面ＰＰとの接触状態を変更し、連結体５２の形状を変化させる。
【００９７】
例えば、ケーブル片５２Ｐのアーム側端面ＡＰの第１面Ｐ１がプラグ側端面ＰＰに接触した状態（図８（ａ）参照）では、そのケーブル片５２Ｐは一方向を向いて曲がる。本実施形態では、図７（ａ）に示すように、連結体５２は左側を向くようにして曲がる。一方、ケーブル片５２Ｐのアーム側端面ＡＰの第２面Ｐ２がプラグ側端面ＰＰに接触した状態（図８（ａ）参照）では、一方向とは逆となる方向を向いて曲がる。本実施形態では、ケーブル片５２Ｐは、図７（ａ）に示す側とは逆となる右側を向くようにして曲がる。
【００９８】
アーム部５３は、図７（ａ）に示すように、アーム本体部５３１と、アーム本体部５３１の一端部に設けられ駆動機構部５４に接続する駆動接続部５３３と、アーム本体部５３１の他端側に設けられ連結体５２に接続する連結体接続部５３２とを有する。さらに、アーム部５３は、第１ワイヤ６１を掛ける第１プーリ５３５と、第２ワイヤ６２を掛ける第２プーリ５３６と、を有している。
【００９９】
アーム本体部５３１は、本実施形態では長く延びた長尺状に形成される。そして、図８に示すように、アーム本体部５３１は、長手方向に沿って設けられる溝５３Ｔを有している。溝５３Ｔは、第１ワイヤ６１および第２ワイヤ６２を収める空間を形成している。なお、アーム本体部５３１では、図６に破線で示す蓋５３Ｃによって、溝５３Ｔに沿って設けられる第１ワイヤ６１および第２ワイヤ６２が収容された状態になる。
【０１００】
連結体接続部５３２は、連結体５２の端に位置するケーブル片５２Ｐに接続する部分である。連結体接続部５３２は、ケーブル片５２Ｐの被接続部５２１Ｎに接続できるように突出した形状を有するとともに、ピン５２３を通す貫通孔を内側に有している。そして、連結体接続部５３２を介してケーブル片５２Ｐと連結することによって、アーム部５３と連結体５２とが接続する。
【０１０１】
なお、本実施形態の下側ケーブル機構部５では、下側ケーブル部５０が回転して最も上がった状態にて、出現状態にあるポート機構部２のポート集積部２４の中央ポート２４Ｍに接続可能になるように連結体５２やアーム部５３等の長さや位置を設定している。ここで、下側ケーブル部５０は、アーム部５３を用いずに連結体５２のみによって下側プラグ
５１を移動させ、ポート集積部２４に接続するように構成しても良い。ただし、本実施形態の下側ケーブル部５０では、変形の自由度の高い連結体５２のみではなく形状の固定されたアーム部５３を用いることで、下側プラグ５１と中央ポート２４Ｍとの接続の精度を高めている。
【０１０２】
駆動接続部５３３は、図７（ｂ）に示すように、アーム本体部５３１の駆動機構部５４側に設けられる。本実施形態では、駆動接続部５３３は、アーム本体部５３１と一体的に形成される。そして、駆動接続部５３３は、駆動機構部５４のクランク５４４との連結箇所を形成するクランク接続部５３３Ｊと、背面側ハウジング５Ｂの案内部５５０に接続する被案内部５３３Ｒとを有している。
【０１０３】
クランク接続部５３３Ｊは、駆動機構部５４のクランク５４４と駆動接続部５３３とを接続する部分である。本実施形態では、クランク接続部５３３Ｊは、ピン５４Ｐを共通にしてクランク５４４と連結している。また、本実施形態では、このクランク接続部５３３Ｊからアーム本体部５３１が一方向に向けて延びるように形成している。
被案内部５３３Ｒは、駆動接続部３３３においてクランク接続部５３３Ｊから離れた位置に形成される。そして、被案内部５３３Ｒは、背面側ハウジング５Ｂに形成され案内部５５０と接続する部分である。被案内部５３３Ｒは、案内部５５０の溝の幅よりも小さく形成されている。被案内部５３３Ｒは、案内部５５０の溝の内側に沿って摺動可能に構成される。そして、被案内部５３３Ｒは、案内部５５０の上端部５５１と下端部５５２との間において一方向に移動可能に構成される。
【０１０４】
そして、本実施形態の下側ケーブル機構部５では、下側ケーブル部５０、駆動機構部５４および背面側ハウジング５Ｂによって、いわゆるスライダ・クランク機構を構成している。具体的には、クランクに相当するクランク５４４と、連結ロッドに相当する駆動接続部５３３と、クランクと連結ロッドとの連結部に相当するクランク接続部５３３Ｊ（ピン５４Ｐ）とによって、スライダ・クランク機構を構成する。
【０１０５】
本実施形態では、駆動接続部５３３にアーム本体部５３１を一体的に設けている。これによって、アーム本体部５３１は、駆動接続部５３３がクランク５４４によって駆動された際にクランク接続部５３３Jにて回転力を受け、被案内部５３３Ｒを回転軸として回動動作を生じる。また、アーム本体部５３１は、駆動接続部５３３がクランク５４４によって駆動された際、被案内部５３３Ｒに案内され、一方向の移動動作を生じる。このように、本実施形態のアーム本体部５３１は、回動するとともにその回転軸が一方向に移動し、アーム本体部５３１に伴って連結体５２および下側プラグ５１も回動運動および移動を生じる。結果として、本実施形態の下側ケーブル部５０は、全体として、回動するとともにその回転軸が一方向に移動する。
【０１０６】
また、図７（ｂ）に示すように、駆動接続部５３３には、第１プーリ５３５および第２プーリ５３６が取り付けられる。そして、第１プーリ５３５には、第１ワイヤ６１が掛けられる。また、第２プーリに５３６には、第２ワイヤ６２が掛けられる。
【０１０７】
駆動機構部５４は、図７（ｂ）に示すように、第１ギア５４１、第２ギア５４２、第３ギア５４３、クランク５４４および下側モータ５４Ｍを有している。
第１ギア５４１、第２ギア５４２および第３ギア５４３は、正面側ハウジング５Ａと背面側ハウジング５Ｂとよって支持される回転軸に通されることで正面側ハウジング５Ａおよび背面側ハウジング５Ｂに取り付けられる。また、下側モータ５４Ｍは、背面側ハウジング５Ｂの外側に取り付けられる。そして、背面側ハウジング５Ｂと正面側ハウジング５Ａとの間に挟まれる第１ギア５４１に対し、下側モータ５４Ｍのモータ軸が開口から内側に臨んで設けられ第１ギア５４１に接続する。
【０１０８】
第１ギア５４１は、上記のとおり、下側モータ５４Ｍのモータ軸に接続している。第２ギア５４２は、第１ギア５４１および第３ギア５４３に接続する。第３ギア５４３は、第２ギア５４２およびクランク５４４に接続する。クランク５４４は、ピン５４Ｐを介してアーム部５３のクランク接続部５３３Ｊと連結する。そして、駆動機構部５４では、第１ギア５４１、第２ギア５４２および第３ギア５４３によって構成されるギア列によって、下側モータ５４Ｍの駆動力をクランク５４４を介してアーム部５３に伝達する。
【０１０９】
続いて、第１ワイヤ６１および第２ワイヤ６２について説明する。
本実施形態の第１ワイヤ６１および第２ワイヤ６２の材料には、複数の金属線をより合わせた線材を用いることができる。第１ワイヤ６１は、一端側に被保持部６１Ｅを有し、他端側に他の部分と比較して径の大きい径大部６１Ｄを有する。第２ワイヤ６２は、一端側に被保持部６２Ｅを有し、他端側に他の部分と比較して径の大きい径大部６２Ｄを有する。
そして、第１ワイヤ６１は、図７（ａ）に示すように、連結体５２およびアーム部５３の内側に通される。さらに、第１ワイヤ６１は、被保持部６１Ｅが正面側ハウジング３Ａに設けられる第１アンカー部６１Ａに固定され、径大部６１Ｄが下側プラグ５１の第１ワイヤ保持部５１１に取り付けられる（図８（ａ）参照）。また、第１ワイヤ６１は、被保持部６１Ｅおよび径大部６１Ｄの間にてアーム部５３の第１プーリ５３５に掛けられる。
【０１１０】
第２ワイヤ６２は、図７（ａ）に示すように、連結体５２およびアーム部５３の内部に通される。さらに、第２ワイヤ６２は、被保持部６２Ｅが正面側ハウジング５Ａに設けられる第１アンカー部６１Ａに固定され、径大部６２Ｄが下側プラグ５１の第２ワイヤ保持部５１２に取り付けられる（図８（ｂ）参照）。また、第２ワイヤ６２は、被保持部６２Ｅおよび径大部６２Ｄの間にてアーム部５３の第２プーリ５３６に掛けられる。
また、第１アンカー部６１Ａと第２アンカー部６２Ａは、アーム部５３の駆動接続部５３３を間に挟むようにして第１プーリ５３５および第２プーリ５３６の外側にそれぞれ配置する。
【０１１１】
本実施形態では、アーム部５３の動作に伴って、第１ワイヤ６１および第２ワイヤ６２の一方を緊張させたり他方を弛めたりすることで連結体５２を変形させる。そして、本実施形態では、第１ワイヤ６１および第２ワイヤ６２に対する緊張や弛めの操作をアーム部５３の駆動接続部５３３に設けた第１プーリ５３５と第２ワイヤ６２とによって行う。
本実施形態の下側ケーブル機構部５において、アーム部５３の移動に伴う第１プーリ５３５と第１ワイヤ保持部５１１との距離の変化は僅かである。同様に、アーム部５３の回動に伴う第２プーリ５３６と第２ワイヤ保持部５１２との間隔の変化も僅かである。そこで、アーム部５３の回動に伴って、第１プーリ５３５と第１アンカー部６１Ａとの間隔、第２プーリ５３６と第２アンカー部６２Ａとの間隔がそれぞれ変化するように構成している。
【０１１２】
さらに、アーム部５３の駆動接続部５３３の移動に伴う、第１アンカー部６１Ａと第１プーリ５３５との間隔の増減と、第２アンカー部６２Ａと第２プーリ５３６との間隔の増減との関係が逆になるように、第１アンカー部６１Ａと第２アンカー部６２Ａとをそれぞれ配置している。
図７（ａ）に示すように、本実施形態では、上記の条件を満たすように、第１アンカー部６１Ａと第２アンカー部６２Ａを、背面側ハウジング５Ｂにおける案内部５５０を間に挟むようにして第１プーリ５３５と第２プーリ５３６との外側にそれぞれ配置している。そして、第１アンカー部６１Ａを案内部５５０の上端部５５１側に設け、第２アンカー部６２Ａを案内部５５０の下端部５５２側に設けている。
【０１１３】
例えば、クランク５４４が図７（ｂ）中ＣＣＷ方向に回転すると、アーム部５３の駆動接続部３３３が案内部５５０の下端部５５２に向けて押し下げられた状態になり、駆動接続部５３３に設けられる第１プーリ５３５は第１アンカー部６１Ａに対し遠ざかる。そして、第１プーリ５３５が第１アンカー部６１Ａから遠ざかることによって、第１ワイヤ６１が引っ張られて第１ワイヤ６１が緊張した状態になる。
なお、クランク５４４が図７（ａ）中ＣＣＷ方向に回転する場合、第２アンカー部６２Ａに対し第２プーリ５３６が近づいた状態になる。このとき、第２プーリ５３６に掛けられる第２ワイヤ６２は、緊張が解かれて弛んだ状態になっている。
【０１１４】
一方、クランク５４４が図７（ａ）中ＣＷ方向に回転すると、アーム部５３の駆動接続部５３３が案内部５５０の上端部５５１に向けて押し下げられた状態になり、駆動接続部５３３に設けられる第１プーリ５３５は第１アンカー部６１Ａに対して近づいた状態になる（後述する図１０参照）。このとき、第１プーリ５３５に掛けられる第１ワイヤ６１は、緊張が解かれて弛んだ状態になる。
そして、クランク５４４が図７（ａ）中ＣＷ方向に回転する場合、第２プーリ５３６は第２アンカー部６２Ａに対し遠ざかる。そして、第２プーリ５３６が第２アンカー部６２Ａから遠ざかることによって、第２ワイヤ６２が引っ張られて第２ワイヤ６２が緊張した状態になる。
【０１１５】
なお、本実施形態では正面側ハウジング５Ａに第１アンカー部６１Ａおよび第２アンカー部６２Ａを取り付けているがこれに限定されない。第１アンカー部６１Ａおよび第２アンカー部６２Ａは、アーム部５３が移動した際に第１ワイヤ６１および第２ワイヤ６２の何れか一方が引っ張られた状態を形成できれば良く、アーム部５３が移動した場合でもその位置が固定された箇所に第１アンカー部６１Ａおよび第２アンカー部６２Ａを取り付けておけば良い。
【０１１６】
（右側ケーブル部７０の構成・機能）
図４（ａ）に示すように、右側ケーブル部７０は、右側プラグ７１と、右側プラグ７１に接続する連結体７２とを備えている。右側プラグ７１は、ポート集積部２４の右側ポート２４Ｒに取り付けられる。また、連結体７２は、一端側が右側プラグ７１に接続し、他端側が遊技盤１１０に取り付けられている。連結体７２は、互いに連結する複数のケーブル片７２Ｐによって構成している。従って、右側ケーブル部７０は、ポート集積部２４の動作に伴って右側プラグ７１側が移動した際に、連結体７２が折れ曲がるように変形する。
本実施形態では、右側ケーブル部７０は、常に、右側プラグ７１が右側ポート２４Ｒに接続した状態になっている。上述した上側ケーブル機構部３および下側ケーブル機構部５では、各々の上側プラグ３１および下側プラグ５１が移動して、ポート集積部２４に接続するように構成されている。一方で、本実施形態では、右側ケーブル部７０は、右側プラグ７１が右側ポート２４Ｒに接続するといった動作は生じない。
【０１１７】
（可動役物１１５の動作）
続いて、図９〜１０を参照しながら、本実施形態が適用される可動役物１１５の動作を説明する。
図９は、本実施形態の上側ケーブル機構部３の動作を説明するための図である。
図１０は、本実施形態の下側ケーブル機構部５の動作を説明するための図である。
図１１は、ポート機構部２に上側ケーブル機構部３および下側ケーブル機構部５が接続した状態を示す図である。
なお、図９（ａ）は待機状態の上側ケーブル機構部３を示し、図９（ｂ）は待機状態から出現状態への移行途中の上側ケーブル機構部３を示し、図９（ｃ）は出現状態の上側ケーブル機構部３を示す。また、図１０（ａ）は待機状態の上側ケーブル機構部３を示し、図１０（ｂ）は待機状態から出現状態への移行途中の上側ケーブル機構部３を示し、図１０（ｃ）は出現状態の上側ケーブル機構部３を示す。
【０１１８】
パチンコ遊技機１００において、例えば抽選の結果として大当たりが発生した場合など、遊技の進行制御に応じて、ランプ制御部３２０は、可動役物１１５を構成するポート機構部２、上側ケーブル機構部３および下側ケーブル機構部５に予め定めた動作をさせる。
まず、ポート機構部２では、図４（ａ）を参照しながら説明したように、ポート部モータ２０Ｍを駆動することによって、クランク２２に接続する移動板２７Ａが遊技盤１１０の下方に向けてポート集積部２４を移動させる。そして、ポート集積部２４は、図１１に示すように、画像表示部１１４の側部から画像表示部１１４の前側へと移動して出現状態に位置する。
【０１１９】
（上側ケーブル機構部３の動作）
上側ケーブル機構部３は、図９（ａ）に示す待機状態において、アーム部３３が駆動機構部３４（図５（ｂ）参照）により図中の矢印ＣＷ方向に回転させられている。本実施形態では、上側ケーブル部３０が下方に向けて延びた状態になる。
そして、アーム部３３の駆動接続部３３３に設けられる第１プーリ３３４は、第１アンカー部４１Ａから遠ざかった位置に位置する。一方、第２プーリ３３５は、第２アンカー部４２Ａに近づいた位置に位置する。その結果、第１ワイヤ４１は、第１プーリ３３４によって強く引っ張られて緊張する。また、第２ワイヤ４２は、第２プーリ３３５によって強く引っ張られずに弛む。
【０１２０】
第１ワイヤ４１が緊張し第２ワイヤ４２が弛んだ状態において、連結体３２では、複数のケーブル片３２Ｐに対して第１ワイヤ４１による圧縮力が掛かる。このとき、第１ワイヤ４１は、各ケーブル片３２Ｐのアーム側端面ＡＰの第１面Ｐ１側において縮む方向の力を加える。そうすると、図９（ａ）に示すように、各ケーブル片３２Ｐは、ピン３２３を回転軸として回転し、隣接する一方のケーブル片３２Ｐのアーム側端面ＡＰの第１面Ｐ１が、隣接する他方のケーブル片３２Ｐのプラグ側端面ＰＰに接触した状態になる。アーム側端面ＡＰの第１面Ｐ１は、プラグ側端面ＰＰに対して角度を有している。そのため、各ケーブル片３２Ｐが曲がった状態になり、連結体３２全体としても曲がった形状になる。また、上側プラグ３１は、単に重力によって垂れ下がる方向を向くのではなく、連結体３２の曲がりに沿った方向を向く。
【０１２１】
図９（ａ）に示すように、待機状態の上側ケーブル機構部３では、アーム部３３が下方に向いた状態にて、上側ケーブル部３０が図中左側を向くように曲がる。そして、本実施形態の上側ケーブル機構部３では、上側ケーブル部３０が左側を向くことによって、遊技盤１１０の左側の側部に位置する状態になる（図１参照）。
【０１２２】
そして、図９（ｂ）に示すように、駆動機構部３４（図５（ｂ）参照）によって図中矢印ＣＣＷ方向に回転させる。アーム部３３は、図中右上に向けて回動する。
また、アーム部３３のＣＣＷ方向の回転に伴って、第１プーリ３３４は、第１アンカー部４１Ａから次第に遠ざかる。また、第２プーリ３３５は、第２アンカー部４２Ａに対して次第に近づく。そして、図９（ｂ）に示す状態において、第１ワイヤ４１は、図９（ａ）に示す待機状態と比較して緊張の程度が和らぐ。また、第２ワイヤ４２は、待機状態と比較して緊張した状態になる。そして、上側ケーブル部３０は、直線に近い形状となる。
【０１２３】
図９（ｃ）に示すように、駆動機構部３４（図５（ｂ）参照）によってアーム部３３を図中矢印ＣＣＷ方向にさらに回転させる。そして、アーム部３３は、右上に向けてさらに回動する。アーム部３３に接続する上側プラグ３１および連結体３２が回転する。そして、上側ケーブル部３０は、横方向（ほぼ水平方向）に延びた状態になる。
また、アーム部３３のＣＣＷ方向の回転に伴って、第１プーリ３３４は、第１アンカー部４１Ａに近づいた位置に位置する。一方、第２プーリ３３５は、第２アンカー部４２Ａから遠ざかった位置に位置する。その結果、第１ワイヤ４１は、第１プーリ３３４によって弛んだ状態になる。また、第２ワイヤ４２は、第２プーリ３３５によって強く引っ張られて緊張した状態になる。
【０１２４】
第２ワイヤ４２が緊張し第１ワイヤ４１が弛んだ状態において、連結体３２では、複数のケーブル片３２Ｐに対して第２ワイヤ４２による圧縮力が掛かる。このとき、第２ワイヤ４２は、各ケーブル片３２Ｐのアーム側端面ＡＰの第２面Ｐ２側において縮む方向の力を加える。そうすると、図９（ｃ）に示すように、各ケーブル片３２Ｐは、ピン３２３を回転軸として回転し、隣接する一方のケーブル片３２Ｐのアーム側端面ＡＰの第２面Ｐ２が、隣接する他方のケーブル片３２Ｐのアーム側端面ＡＰに接触した状態になる。アーム側端面ＡＰの第２面Ｐ２は、プラグ側端面ＰＰに対して角度を有している。そのため、各ケーブル片３２Ｐが曲がった状態になり、連結体３２全体としても曲がった形状になる。また、上側プラグ３１も、連結体３２の曲がりに沿った方向を向く。
【０１２５】
図９（ｃ）に示すように、出現状態の上側ケーブル機構部３では、アーム部３３が横方向に延びた状態にて、連結体３２が図中左に向けて曲がる。そして、本実施形態の上側ケーブル機構部３では、連結体３２が左に向けて曲がることによって、上側プラグ３１が遊技盤１１０の上方を向く。これによって、図１１に示すように、上側プラグ３１は、ポート集積部２４の左側ポート２４Ｌに対向する。そして、ポート機構部２において左側ポート２４Ｌの電磁石２５に通電を行うことによって、左側ポート２４Ｌは、上側プラグ３１のプラグ先端部３１Ｈを吸着する。
【０１２６】
以上のようにして、本実施形態の上側ケーブル機構部３では、アーム部３３の回動によって、上側プラグ３１および連結体３２を回転移動させながら、かつ、上側プラグ３１および連結体３２を変形させる。そして、一端側のみが支えられた状態の上側プラグ３１および連結体３２を移動させ、元々離れていた状態からポート集積部２４に接続させる。そして、下側プラグ５１があたかも意志を持って移動しているかのような動作を表現することが可能になる。
このように、本実施形態の可動役物１１５では、上側プラグ３１の向きや連結体３２の形状の変化が複雑であり、かつ、複雑に変化しながら上側プラグ３１が左側ポート２４Ｌに接続するという遊技者にとって予測がつき難い意外性のある動きを実現することができる。
また、本実施形態では、上記の上側ケーブル機構部３の回転移動および曲がり変形の動作を単一の駆動源（本実施形態では上側モータ３４Ｍ）で実現するため部品点数が削減され、低コスト化にも寄与することができる。
【０１２７】
（下側ケーブル機構部５の動作）
続いて、下側ケーブル機構部５の動作について説明する。
下側ケーブル機構部５は、図１０（ａ）に示す待機状態において、駆動機構部５４（図７（ｂ）参照）によりクランク５４４が図１０中矢印ＣＷ方向に回転させられている。そして、クランク５４４に接続するアーム部５３の駆動接続部５３３は、下側に押し下げられる。この状態にてアーム部５３の被案内部５３３Ｒは、案内部５５０の下端部５５２に位置している。そして、本実施形態では、アーム部５３は、上下方向に沿って上側に延びた状態になる。
アーム部５３の駆動接続部５３３に設けられる第１プーリ５３５は、第１アンカー部６１Ａから遠ざかった位置に位置する。一方、第２プーリ５３６は、第２アンカー部４２Ａに近づけられた位置に位置する。その結果として、第１ワイヤ６１は、第１プーリ５３５によって強く引っ張られて緊張する。また、第２ワイヤ６２は、第２プーリ５３６によって強く引っ張られずに弛む。
【０１２８】
第１ワイヤ６１が緊張し第２ワイヤ６２が弛んだ状態において、連結体５２では、複数のケーブル片５２Ｐに対して第１ワイヤ６１による圧縮力が掛かる。このとき、第１ワイヤ６１は、各ケーブル片５２Ｐのアーム側端面ＡＰの第１面Ｐ１側において縮む方向の力を加える。そうすると、図１０（ａ）に示すように、各ケーブル片５２Ｐは、ピン５２３を回転軸として回転し、隣接する一方のケーブル片５２Ｐのアーム側端面ＡＰの第１面Ｐ１が、隣接する他方のケーブル片５２Ｐのプラグ側端面ＰＰに接触した状態になる。アーム側端面ＡＰの第１面Ｐ１は、プラグ側端面ＰＰに対して角度を有している。そのため、各ケーブル片５２Ｐが曲がった状態になり、連結体５２全体としても曲がった形状になる。また、下側プラグ５１は、連結体５２の曲がりに沿った方向を向く。
【０１２９】
図１０（ａ）に示すように、待機状態の下側ケーブル機構部５では、アーム部５３が上方に向いた状態にて、連結体５２が右側に向けて曲がりＵ字状になる。さらに、連結体５２の端部に設けられる下側プラグ５１は下方を向く。そして、待機状態の下側ケーブル機構部５は、下側ケーブル部５０が遊技盤１１０の左側の側部に位置する状態になる（図１参照）。
【０１３０】
そして、図１０（ｂ）に示すように、駆動機構部５４（図７（ｂ）参照）によりクランク５４４が図中矢印ＣＣＷ方向に回転させられる。そうすると、駆動接続部３３３では、被案内部５３３Ｒを回動軸とし、ピン５４Ｐを介して駆動接続部５３３がクランク５４４によって回転させられる。そして、駆動接続部３３３を有するアーム部５３が回動する。さらに、アーム部５３の回動に伴って、下側ケーブル部５０全体として回動する。その結果、下側ケーブル部５０は、右上に向けて延びた状態になる。
また、アーム部５３のＣＣＷ方向の回転に伴って、第１プーリ５３５は、第１アンカー部６１Ａから次第に遠ざかる。また、第２プーリ５３６は、第２アンカー部６２Ａに対して次第に近づく。その結果、第１ワイヤ６１は、図１０（ａ）に示す待機状態と比較して緊張の程度が和らぐ。一方、第２ワイヤ６２は、待機状態と比較して緊張した状態になる。中間の状態では、下側ケーブル部５０は直線に近い形状となる。
【０１３１】
さらに、図１０（ｃ）に示すように、駆動機構部５４（図７（ｂ）参照）によってクランク５４４を図中矢印ＣＣＷ方向にさらに回転させる。駆動接続部３３３では、ピン５４Ｐを介してクランク接続部５３３Ｊがクランク５４４によって上方に向けて引き上げられる。駆動接続部５３３の被案内部５３３Ｒは、案内部５５０の上端部５５１の位置まで移動する。その結果、アーム部５３は、上側に移動した状態となる。
【０１３２】
また、クランク５４４の図中矢印ＣＣＷ方向の回転に伴う駆動接続部５３３の移動によって、第１プーリ５３５は、第１アンカー部６１Ａに近づいた位置に位置する。一方、第２プーリ５３６は、第２アンカー部４２Ａから遠ざかった位置に位置する。その結果、第１ワイヤ６１は、第１プーリ５３５によって強く引っ張られずに弛んだ状態になる。一方で、第２ワイヤ６２は、第２プーリ５３６によって強く引っ張られて緊張した状態になる。
【０１３３】
第１ワイヤ６１が弛んで第２ワイヤ６２が緊張した状態において、連結体５２では、複数のケーブル片５２Ｐに対して第２ワイヤ６２による圧縮力が掛かる。このとき、第２ワイヤ６２は、各ケーブル片５２Ｐのアーム側端面ＡＰの第２面Ｐ２側において縮む方向の力を加える。そうすると、図１０（ｃ）に示すように、各ケーブル片５２Ｐは、ピン５２３を回転軸として回転し、隣接する一方のケーブル片５２Ｐのアーム側端面ＡＰの第２面Ｐ２が、隣接する他方のケーブル片５２Ｐのプラグ側端面ＰＰに接触した状態になる。アーム側端面ＡＰの第２面Ｐ２は、プラグ側端面ＰＰに対して角度を有している。そのため、各ケーブル片５２Ｐが曲がった状態になり、連結体５２全体としても曲がった形状になる。また、下側プラグ５１は、連結体５２の曲がりに沿った方向を向く。
【０１３４】
図１０（ｃ）に示すように、出現状態の下側ケーブル機構部５では、アーム部５３が右斜め上方向に延びた状態にて、連結体５２が図中左に向けて曲がる。そして、下側ケーブル機構部５では、連結体５２が図中左に向けて曲がることによって、下側プラグ５１が遊技盤１１０の上方を向く。これによって、図１１に示すように、下側プラグ５１は、ポート集積部２４の中央ポート２４Ｍに対向する。そして、ポート機構部２において中央ポート２４Ｍの電磁石２５に通電を行うことによって、中央ポート２４Ｍは、下側プラグ５１のプラグ先端部５１Ｈを吸着する。
そして、図１１に示すように、下側ケーブル機構部５の下側プラグ５１が上側を向くことによって、ポート集積部２４の中央ポート２４Ｍに対向する。ここで、中央ポート２４Ｍに設ける電磁石２５に通電を行うことによって、中央ポート２４Ｍは、下側プラグ５１のプラグ先端部５１Ｈを吸着する。
【０１３５】
以上のようにして、本実施形態の下側ケーブル機構部５では、駆動機構部５４によって、下側ケーブル部５０を回動させるとともにその回動軸を移動させ、かつ下側ケーブル部５０（連結体５２）を変形させる。そして、一端側のみが支えられた状態の下側ケーブル部５０の下側プラグ５１を移動させ、元々離れていた状態からポート集積部２４に接続させる。そして、下側プラグ５１があたかも意志を持って移動しているかのような動作を表現することが可能になる。
このように、本実施形態の可動役物１１５では、下側プラグ５１の向きや連結体５２の形状の変化が複雑であり、かつ、複雑に変化しながら下側プラグ５１が中央ポート２４Ｍに接続するという遊技者にとって予測がつきにくく意外性のある動きを実現することができる。
また、本実施形態では、上記の下側ケーブル機構部５における回転移動、一方向への移動および曲がり変形の動作を単一の駆動源（本実施形態では上側モータ３４Ｍ）で実現するため部品点数が削減され、低コスト化にも寄与することができる。
【０１３６】
なお、上側ケーブル機構部３と下側ケーブル機構部５とは、それぞれ別のタイミングで動作させても、同じタイミングで動作させても構わない。例えば、上側ケーブル機構部３と下側ケーブル機構部５とを同じタイミングにて動作させた場合、図１１に示すように、上側ケーブル部３０の上側プラグ３１と、下側ケーブル部５０の下側プラグ５１とが絡み合うような複雑な動きによる演出を行うことができる。
【０１３７】
なお、可動役物１１５を図１１に示す出現状態から待機状態（図１参照）へと移行する際には、まず、ポート機構部２における各ポートの電磁石２５の通電を解除する。これによって、左側ポート２４Ｌと上側プラグ３１との接続が解除（分離）し、中央ポート２４Ｍと下側プラグ５１との接続が解除（分離）する。そして、上述した接続の際の手順とは逆に動作させる。
例えば、上側ケーブル機構部３においては、上側プラグ３１と左側ポート２４Ｌとの接続が解除するように操作する。このときは、駆動機構部３４を駆動して、アーム部３３をＣＣＷ方向（図５（ａ）参照）に回転させることで、上側ケーブル部３０をポート集積部２４から遠ざかる方向に移動させる。
【０１３８】
また、下側ケーブル機構部５においては、下側プラグ５１と中央ポート２４Ｍとの接続が解除するように操作する。このときは、駆動機構部５４を駆動して、クランク５４４をＣＷ方向（図７（ａ）参照）に回転させることでアーム部５３を下方に移動させ、下側ケーブル部５０をポート集積部２４から遠ざかる方向に移動させる。
さらに、ポート機構部２についても、スライダ駆動部２１を用いて、ポート集積部２４に接続する移動板２７Ａを上側に移動させ、ポート集積部２４を待機状態の位置に戻す。
【０１３９】
また、本実施形態では、遊技盤１１０面に沿った平面内にて移動する例を用いて説明したが、この移動方向の態様に限定されるものではない。例えば、遊技者と遊技盤１１０の盤面との方向となる盤面に垂直な方向に可動役物１１５の可動部材（上側プラグ３１や下側プラグ５１など）が移動するように構成しても良い。
さらに、本実施形態では、例えば可動役物１１５などをパチンコ遊技機１００に適用した例を用いて説明したが、スロットマシンなどのパチンコ遊技機以外の遊技機に適用しても構わない。
【符号の説明】
【０１４０】
３…上側ケーブル機構部、５…下側ケーブル機構部、２…ポート機構部、２４…ポート集積部、３０…上側ケーブル部、３１…上側プラグ、３２…連結体、３３…アーム部、５０…上側ケーブル部、５１…下側プラグ、５２…連結体、５３…アーム部、７０…右側ケーブル部、１００…パチンコ遊技機
【図１】
0005435512.tif 000002
【図２】
0005435512.tif 000003
【図３】
0005435512.tif 000004
【図４】
0005435512.tif 000005
【図５】
0005435512.tif 000006
【図６】
0005435512.tif 000007
【図７】
0005435512.tif 000008
【図８】
0005435512.tif 000009
【図９】
0005435512.tif 000010
【図１０】
0005435512.tif 000011
【図１１】
0005435512.tif 000012